(57)【要約】【課題】ケーブルで接続した外部の電子機器がサージ電流によって破壊しないように配慮して安全性を高めたチューナユニットを提供すること。【解決手段】チューナユニット１０は、ケーブル２を介して外部の電子機器（例えばゲーム機）１と接続することによって該電子機器１に放送データを供給することができる。このチューナユニット１０は、高周波回路１２に形成された第１の接地導体パターン１２ａとデジタル処理回路１３に形成された第２の接地導体パターン１３ａとを幅狭な複数本の連結導体パターン１６によって橋絡し、落雷等によってアンテナ２０に印加された過大なサージ電流が流れ込んだときに、このサージ電流で全ての連結導体パターン１６が溶断するようにしてある。そのため、外部の電子機器１へはサージ電流が流入しない。【選択図】図１
2012186619.tif 000002
【特許請求の範囲】
【請求項１】
放送電波を受信するアンテナに接続可能なアンテナ端子と、このアンテナ端子から送られてくる高周波信号を処理する高周波回路と、この高周波回路から送られてくる信号を処理して生成した放送データを外部出力端子に供給するデジタル処理回路と、前記高周波回路および前記デジタル処理回路を収納する樹脂ケースとを備え、前記外部出力端子をケーブルを介して外部の電子機器と接続することにより、該電子機器に前記放送データを供給可能なチューナユニットであって、
前記高周波回路に形成された第１の接地導体パターンと前記デジタル処理回路に形成された第２の接地導体パターンとを幅狭な連結導体パターンによって橋絡すると共に、許容電流値よりも大きなサージ電流が前記アンテナ端子に流れ込んだときに前記連結導体パターンが溶断するように該連結導体パターンの線幅および厚みを設定したことを特徴とするチューナユニット。
【請求項２】
請求項１の記載において、前記第１および第２の接地導体パターンどうしを幅狭な複数本の前記連結導体パターンで橋絡したことを特徴とするチューナユニット。
【請求項３】
請求項２の記載において、前記複数本の連結導体パターンが同等の線幅および厚みに形成されていることを特徴とするチューナユニット。
【発明の詳細な説明】
【技術分野】
【０００１】
本発明は、高周波回路（ＲＦ回路）とデジタル処理回路を有してケーブル経由で外部の電子機器に接続可能なチューナユニットに係り、特に、アンテナからサージ電流が流れ込んだときに外部の電子機器を保護するための対策に関する。
【背景技術】
【０００２】
従来より、チューナを内蔵したアンテナ端子付きの電子回路ユニットを外部の電子機器とケーブルで接続することによって、アンテナが受信した信号を電子回路ユニットにて処理したうえで、この電子回路ユニットからレコーダ等の外部の電子機器へテレビ放送信号を供給できるようにした技術が広く知られている（例えば、特許文献１参照）。また、近年はゲーム機や電子辞書等の電子機器において、ＵＳＢケーブル等のケーブルを用いてチューナユニットを接続することにより、このチューナユニットを介してデジタルテレビ放送等を視聴できるようにしたものが普及しつつある。
【０００３】
図２は、ゲーム機等の電子機器１を従来既知のチューナユニット３と接続した状態を示す説明図である。同図において、電子機器１とチューナユニット３はＵＳＢケーブル２によって接続されている。このチューナユニット３には、同軸ケーブル等のアンテナケーブルに接続されるアンテナ端子（Ｆ型コネクタ）４と、アンテナ端子４から送られてくる高周波信号の選択や増幅、周波数変換等を行う高周波回路（ＲＦ回路）５と、高周波回路５から送られてくる信号を処理して生成した放送データ（画像データや音声データ）を外部出力端子８に供給するデジタル処理回路６とが設けられている。これら高周波回路５とデジタル処理回路６は図示せぬホット側の配線パターンによって接続されていると共に、共通の接地導体（グラウンド）パターン７を有している。また、これら高周波回路５とデジタル処理回路６は樹脂ケース９内に収納されている。
【０００４】
電子機器１は通常はゲーム機等として単独で使用されるが、ＵＳＢケーブル２を介してチューナユニット３と接続することにより、電子機器１をテレビ受像機のように機能させることが可能となる。その際、チューナユニット３のアンテナ端子４は、予めアンテナ２０から導出された図示せぬアンテナケーブルと接続しておき、外部出力端子８はＵＳＢケーブル２と接続しておく。これにより、アンテナ２０の受信した放送電波の信号をチューナユニット３が取得して、受信信号に基づく放送データが生成されるため、この放送データがＵＳＢケーブル２を介して供給される電子機器１のディスプレイおよびスピーカを利用して、ユーザはデジタルテレビ放送等を視聴できるようになる。
【先行技術文献】
【特許文献】
【０００５】
【特許文献１】特開２００９−５５１４９号公報
【発明の概要】
【発明が解決しようとする課題】
【０００６】
ところで、図２に示すように、電子機器１に従来既知のチューナユニット３を接続している状態で、アンテナ２０に落雷によるサージ電流が印加されると、このサージ電流はアンテナ端子４からチューナユニット３へ流れ込むため、接地導体パターン７およびＵＳＢケーブル２を介して電子機器１にサージ電流が流れ込んでしまう。その場合、サージ電流によってチューナユニット３のみならず電子機器１も破壊されてしまう危険性がある。とりわけ電子機器１は比較的高価なため、ゲーム機等としての本来の機能も破壊されてしまうことはユーザにとって大きな損失となる。
【０００７】
しかしながら、従来はチューナユニット３自体にサージ対策が講じられていないため、サージ対策用の専用の器具が取り付けられていない使用環境においては、電子機器１をチューナユニット３に接続しているときに上記の危険性を確実に回避することはできなかった。
【０００８】
本発明は、このような従来技術の実情に鑑みてなされたもので、その目的は、ケーブルで接続した外部の電子機器がサージ電流によって破壊しないように配慮して安全性を高めたチューナユニットを提供することにある。
【課題を解決するための手段】
【０００９】
上記の目的を達成するために、本発明は、放送電波を受信するアンテナに接続可能なアンテナ端子と、このアンテナ端子から送られてくる高周波信号を処理する高周波回路と、この高周波回路から送られてくる信号を処理して生成した放送データを外部出力端子に供給するデジタル処理回路と、前記高周波回路および前記デジタル処理回路を収納する樹脂ケースとを備え、前記外部出力端子をケーブルを介して外部の電子機器と接続することにより、該電子機器に前記放送データを供給可能なチューナユニットにおいて、前記高周波回路に形成された第１の接地導体パターンと前記デジタル処理回路に形成された第２の接地導体パターンとを幅狭な連結導体パターンによって橋絡すると共に、許容電流値よりも大きなサージ電流が前記アンテナ端子に流れ込んだときに前記連結導体パターンが溶断するように該連結導体パターンの線幅および厚みを設定することとした。
【００１０】
このように高周波回路に形成された第１の接地導体パターンとデジタル処理回路に形成された第２の接地導体パターンとが幅狭な連結導体パターンで橋絡されているチューナユニットは、落雷等によってアンテナに印加された過大なサージ電流が流れ込んだときに、このサージ電流で連結導体パターンが溶断するため、ケーブルを介して接続されている外部の電子機器へサージ電流が流入しなくなる。それゆえ、チューナユニットに比して高価な電子機器がサージ電流で破壊される虞がなくなる。
【００１１】
上記の構成において、第１の接地導体パターンと第２の接地導体パターンとを幅狭な１本の連結導体パターンで橋絡することも可能であるが、第１および第２の接地導体パターンどうしを幅狭な複数本の連結導体パターンで橋絡しておけば、広い接地導体パターンを必要とする高周波回路が第１の接地導体パターンだけでなく第２の接地導体パターンも利用しやすくなるため好ましい。
【００１２】
この場合において、複数本の連結導体パターンが同等の線幅および厚みに形成されていると、全ての連結導体パターンを許容電流値よりも大きなサージ電流で一括して溶断させるうえで必要な導体パターンの線幅および厚みが容易に算出できるため好ましい。
【発明の効果】
【００１３】
本発明のチューナユニットは、高周波回路に形成された第１の接地導体パターンとデジタル処理回路に形成された第２の接地導体パターンとを幅狭な連結導体パターンによって橋絡し、落雷等によってアンテナに印加された過大なサージ電流が流れ込んだときに、このサージ電流で連結導体パターンが溶断するように構成してあるため、ケーブルを介して接続されている外部の電子機器（例えばゲーム機）へサージ電流が流入しなくなる。それゆえ、チューナユニットに比して高価な電子機器がサージ電流で破壊される虞がなくなり、ユーザは安心して電子機器にチューナユニットを接続してデジタルテレビ放送等を視聴することができる。
【図面の簡単な説明】
【００１４】
【図１】本発明の実施形態例に係るチューナユニットに外部の電子機器を接続した状態を示す説明図である。
【図２】従来のチューナユニットに外部の電子機器を接続した状態を示す説明図である。
【発明を実施するための形態】
【００１５】
以下、本発明の実施形態例を図面を参照しながら説明する。図１に示すように、本実施形態例に係るチューナユニット１０は、ＵＳＢケーブル２を介して外部の電子機器１と接続することができる。この電子機器１は、通常はゲーム機等として単独で使用されるものであるが、チューナユニット１０と接続することによってテレビ受像機のように機能させることが可能となる。
【００１６】
チューナユニット１０は、同軸ケーブル等のアンテナケーブルに接続されるアンテナ端子（Ｆ型コネクタ）１１と、アンテナ端子１１から送られてくる高周波信号の選択や増幅、周波数変換等を行う高周波回路（ＲＦ回路）１２と、高周波回路１２から送られてくる信号を処理して生成した放送データ（画像データや音声データ）を外部出力端子１４に供給するデジタル処理回路１３と、高周波回路１２およびデジタル処理回路１３を収納する樹脂ケース１５とを備えており、高周波回路１２に形成された第１の接地導体パターン１２ａとデジタル処理回路１３に形成された第２の接地導体パターン１３ａとが幅狭な複数本の連結導体パターン１６によって橋絡されている。また、高周波回路１２とデジタル処理回路１３は図示せぬホット側の配線パターンによって接続されている。
【００１７】
複数本の連結導体パターン１６の線幅および厚みは同等である。そして、落雷等により許容電流値よりも大きなサージ電流がアンテナ端子１１に流れ込んだときに全ての連結導体パターン１６が溶断するように、各連結導体パターン１６の線幅と厚みが設定されている。一例を挙げると、連結導体パターン１６として線幅が０．２ｍｍで厚みが０．０３５ｍｍの銅箔パターンを７本形成しておけば、アンテナ端子１１に５０００Ａ以上のサージ電流が流れ込んだときに、全ての連結導体パターン１６を溶断させることができる。ただし、連結導体パターン１６の線幅や厚みは適宜選択可能であり、その値に応じて必要な本数に変更され得ることは言うまでもない。また、これら連結導体パターン１６は高周波回路１２とデジタル処理回路１３との間の適宜箇所に形成することができるが、グラウンド機能を強化させることの望ましい箇所に連結導体パターン１６を形成しておくことがより好適である。
【００１８】
このチューナユニット１０は、ＵＳＢケーブル２を介して外部の電子機器１と接続することによって、デジタル処理回路１３が生成した放送データを電子機器１に供給することができる。その際、チューナユニット１０のアンテナ端子１１は、予めアンテナ２０から導出された図示せぬアンテナケーブルと接続しておき、外部出力端子１４はＵＳＢケーブル２と接続しておく。これにより、アンテナ２０の受信した放送電波の信号をチューナユニット１０が取得して、受信信号に基づく放送データが生成されるため、この放送データがＵＳＢケーブル２を介して供給される電子機器１のディスプレイおよびスピーカを利用して、ユーザはデジタルテレビ放送等を視聴できるようになる。
【００１９】
このように本実施形態例に係るチューナユニット１０は、高周波回路１２に形成された第１の接地導体パターン１２ａとデジタル処理回路１３に形成された第２の接地導体パターン１３ａとを幅狭な連結導体パターン１６によって橋絡し、落雷等によってアンテナ２０に印加された過大なサージ電流が流れ込んだときに、このサージ電流で連結導体パターン１６が溶断するように構成してあるため、ＵＳＢケーブル２を介して接続されている外部の電子機器１へサージ電流が流入しなくなる。それゆえ、チューナユニット１０に比して高価な電子機器１がサージ電流で破壊される虞はなくなり、ユーザは安心して電子機器１にチューナユニット１０を接続してデジタルテレビ放送等を視聴することができる。
【００２０】
また、本実施形態例では、第１および第２の接地導体パターン１２ａ，１３ａどうしを幅狭な複数本（例えば７本）の連結導体パターン１６で橋絡しているため、広い接地導体パターンを必要とする高周波回路１２が第１の接地導体パターン１２ａだけでなく第２の接地導体パターン１３ａも利用しやすくなっている。それゆえ、高周波回路１２の動作が安定させやすい。
【００２１】
また、本実施形態例では、複数本の連結導体パターン１６が同等の線幅および厚みに形成されているため、全ての連結導体パターン１６を許容電流値よりも大きなサージ電流で一括して溶断させるうえで必要とされる導体パターンの線幅および厚みを容易に算出することができる。
【符号の説明】
【００２２】
１  電子機器
２  ＵＳＢケーブル
１０  チューナユニット
１１  アンテナ端子
１２  高周波回路
１２ａ  第１の接地導体パターン
１３  デジタル処理回路
１３ａ  第２の接地導体パターン
１４  外部出力端子
１５  樹脂ケース
１６  連結導体パターン
２０  アンテナ
【図１】
2012186619.tif 000003
【図２】
2012186619.tif 000004